(57)【要約】【課題】    本発明の目的は、袋に装着したまま袋の開口部を開閉することができるクリップを提供するものである。【解決手段】    クリップＣは、袋Ｂの開口部をシールするクリップＣであって、第１の被係止部１１を有する第１の長手形状部材１と、この第１の長手形状部材１に対して回動自在に取り付けられ、第１の被係止部１１に係止する第１の係止部２１を有する第２の長手形状部材２と、第１の長手形状部材１に折曲自在に取り付けられ、第１’の被係止部１１’を有する第１’の長手形状部材１’と、第２の長手形状部材２に折曲自在に取り付けられ、第１’の被係止部１１’に係止する第１’の係止部２１’を有する第２’の長手形状部材２’とを備えているものである。【選択図】図２
2018020799.tif 000002
【特許請求の範囲】
【請求項１】
袋の開口部をシールするクリップであって、
第１の被係止部を有する第１の長手形状部材と、
この第１の長手形状部材に対して回動自在に取り付けられ、前記第１の被係止部に係止する第１の係止部を有する第２の長手形状部材と、
前記第１の長手形状部材に折曲自在に取り付けられ、第１’の被係止部を有する第１’の長手形状部材と、                         
前記第２の長手形状部材に折曲自在に取り付けられ、前記第１’の被係止部に係止する第１’の係止部を有する第２’の長手形状部材と、
を備えていることを特徴とするクリップ。  
【請求項２】
第１’の長手形状部材の 第１の長手形状部材から遠い側の端部に第１の摘み部が、    第２’の長手形状部材の 第２の長手形状部材から遠い側の端部に第２の摘み部が、    それぞれ設けられている
ことを特徴とする請求項１記載のクリップ
【請求項３】
袋の開口部をシールするクリップであって、
第１の被係止部を有する第１の長手形状部材と、
この第１の長手形状部材に対して回動自在に取り付けられ、前記第１の被係止部に係止する第１の係止部を有する第２の長手形状部材とを備え、
前記第１の長手形状部材は、中途を前記第１の長手形状部材の長手方向を横断する方向に、折曲自在に取り付けられるか、又は、前記第２の長手形状部材は、中途を前記第２の長手形状部材の長手方向を横断する方向に、折曲自在に取り付けられるかである
ことを特徴とするクリップ。
【請求項４】
第１の長手形状部材と第２の長手形状部材の折曲部が少なくとも１か所以上である
ことを特徴とする請求項１から請求項３記載の何れか１項記載のクリップ。
【請求項５】
第１の被係止部を有する第１の長手形状部材と、
この第１の長手形状部材に対して回動自在に取り付けられ、前記第１の被係止部に係止する第１の係止部を有する第２の長手形状部材と、
前記第１の長手形状部材に折曲自在に取り付けられ、第１’の被係止部を有する第１’の長手形状部材と、                         
前記第２の長手形状部材に折曲自在に取り付けられ、前記第１’の被係止部に係止する第１’の係止部を有する第２’の長手形状部材とを備え、
前記第１の長手形状部材の前記第１の被係止部に前記第２の長手形状部材の前記第１の係止部を係止させて袋に装着し、第１’の長手形状部材の第１’の被係止部に第２’の長手形状部材の第１’の係止部を係止又は非係止させて、前記袋の開口部を開閉させる
ことを特徴とする袋の開口部の開閉方法。
【請求項６】
第１の被係止部を有する第１の長手形状部材と、
この第１の長手形状部材に対して回動自在に取り付けられ、前記第１の被係止部に係止する第１の係止部を有する第２の長手形状部材とを備え、
前記第１の長手形状部材は、中途を前記第１の長手形状部材の長手方向を横断する方向に、折曲自在に取り付けられているものであり、
回動部に近い側の前記第１の長手形状部材の前記第１の被係止部に前記第２の長手形状部材の前記第１の係止部を係止させて袋に装着し、前記回動部に遠い側の第１の長手形状部材の第１の溝部に第２の長手形状部材の第１の係止部を係止又は非係止させて、前記袋の開口部を開閉させる
ことを特徴とする袋の開口部の開閉方法。
【請求項７】
第１の被係止部を有する第１の長手形状部材と、
この第１の長手形状部材に対して回動自在に取り付けられ、前記第１の被係止部に係止する第１の係止部を有する第２の長手形状部材とを備え、
前記第２の長手形状部材は、中途を前記第２の長手形状部材の長手方向を横断する方向に、折曲自在に取り付けられているものであり、
回動部に近い側の前記第１の長手形状部材の前記第１の被係止部に前記第２の長手形状部材の前記第１の係止部を係止させて袋に装着し、前記回動部に遠い側の第１の長手形状部材の第１の被係止部に第２の長手形状部材の第１の係止部を係止又は非係止させて、前記袋の開口部を開閉させる
ことを特徴とする袋の開口部の開閉方法。
【請求項８】
第１の長手形状部材と第２の長手形状部材の折曲部が少なくとも１か所以上である
ことを特徴とする請求項５から請求項７記載の何れか１項記載の袋の開口部の開閉方法。
【発明の詳細な説明】
【技術分野】
【０００１】
本発明は、クリップ及び袋の開口部の開閉方法に係り、特に、袋に装着したまま袋の開口部を開閉することができるクリップ及び袋の開口部の開閉方法に関する。
【背景技術】
【０００２】
従来、袋の開口部をシールするクリップがある（特許文献１参照）。
これは、溝部を有する第１の長手形状部材と、この第１の長手形状部材に対して回動自在に取り付けられ、前記溝部に嵌合する嵌合部を有する第２の長手形状部材とを有したものである。
【先行技術文献】
【特許文献】
【０００３】
【特許文献１】特許第５８３５７１４号公報
【発明の概要】
【発明が解決しようとする課題】
【０００４】
しかしながら、上記クリップにあっては、使用する度に、クリップを外し、使用後、クリップに装着しなければならず、袋に装着したまま袋の開口部を開閉することができず、使用しづらいという問題点があった。
【０００５】
本発明は、上記の点を考慮してなされたもので、袋に装着したまま袋の開口部を開閉することができるクリップ及び袋の開口部の開閉方法を提供することを目的とする。
【課題を解決するための手段】
【０００６】
請求項１記載のクリップは、袋の開口部をシールするクリップであって、第１の被係止部を有する第１の長手形状部材と、この第１の長手形状部材に対して回動自在に取り付けられ、前記第１の被係止部に係止する第１の係止部を有する第２の長手形状部材と、前記第１の長手形状部材に折曲自在に取り付けられ、第１’の被係止部を有する第１’の長手形状部材と、前記第２の長手形状部材に折曲自在に取り付けられ、前記第１’の被係止部に係止する第１’の係止部を有する第２’の長手形状部材とを備えているものである。
【０００７】
また、請求項２記載のクリップは、請求項１記載のクリップにおいて、第１’の長手形状部材の 第１の長手形状部材から遠い側の端部に第１の摘み部が、第２’の長手形状部材の 第２の長手形状部材から遠い側の端部に第２の摘み部が、それぞれ設けられているものである。
【０００８】
また、請求項３記載のクリップは、袋の開口部をシールするクリップであって、第１の被係止部を有する第１の長手形状部材と、この第１の長手形状部材に対して回動自在に取り付けられ、前記第１の被係止部に係止する第１の係止部を有する第２の長手形状部材とを備え、前記第１の長手形状部材は、中途を前記第１の長手形状部材の長手方向を横断する方向に、折曲自在に取り付けられるか、又は、前記第２の長手形状部材は、中途を前記第２の長手形状部材の長手方向を横断する方向に、折曲自在に取り付けられるかである。
【０００９】
また、請求項４記載のクリップは、請求項１から請求項３記載の何れか１項記載のクリップにおいて、第１の長手形状部材と第２の長手形状部材の折曲部が少なくとも１か所以上である。
【００１０】
また、請求項５記載の袋の開口部の開閉方法は、第１の被係止部を有する第１の長手形状部材と、この第１の長手形状部材に対して回動自在に取り付けられ、前記第１の被係止部に係止する第１の係止部を有する第２の長手形状部材と、前記第１の長手形状部材に折曲自在に取り付けられ、第１’の被係止部を有する第１’の長手形状部材と、前記第２の長手形状部材に折曲自在に取り付けられ、前記第１’の被係止部に係止する第１’の係止部を有する第２’の長手形状部材とを備え、前記第１の長手形状部材の前記第１の被係止部に前記第２の長手形状部材の前記第１の係止部を係止させて袋に装着し、第１’の長手形状部材の第１’の被係止部に第２’の長手形状部材の第１’の係止部を係止又は非係止させて、前記袋の開口部を開閉させるものである。
【００１１】
また、請求項６記載の袋の開口部の開閉方法は、第１の被係止部を有する第１の長手形状部材と、この第１の長手形状部材に対して回動自在に取り付けられ、前記第１の被係止部に係止する第１の係止部を有する第２の長手形状部材とを備え、前記第１の長手形状部材は、中途を前記第１の長手形状部材の長手方向を横断する方向に、折曲自在に取り付けられているものであり、回動部に近い側の前記第１の長手形状部材の前記第１の被係止部に前記第２の長手形状部材の前記第１の係止部を係止させて袋に装着し、前記回動部に遠い側の第１の長手形状部材の第１の溝部に第２の長手形状部材の第１の係止部を係止又は非係止させて、前記袋の開口部を開閉させるものである。
【００１２】
また、請求項７記載の袋の開口部の開閉方法は、第１の被係止部を有する第１の長手形状部材と、この第１の長手形状部材に対して回動自在に取り付けられ、前記第１の被係止部に係止する第１の係止部を有する第２の長手形状部材とを備え、前記第２の長手形状部材は、中途を前記第２の長手形状部材の長手方向を横断する方向に、折曲自在に取り付けられているものであり、回動部に近い側の前記第１の長手形状部材の前記第１の被係止部に前記第２の長手形状部材の前記第１の係止部を係止させて袋に装着し、前記回動部に遠い側の第１の長手形状部材の第１の被係止部に第２の長手形状部材の第１の係止部を係止又は非係止させて、前記袋の開口部を開閉させるものである。
【００１３】
また、請求項８記載の袋の開口部の開閉方法は、請求項５から請求項７記載の何れか１項記載の袋の開口部の開閉方法において、第１の長手形状部材と第２の長手形状部材の折曲部が少なくとも１か所以上である。
【発明の効果】
【００１４】
請求項１記載のクリップによれば、第１の長手形状部材の第１の被係止部に第２の長手形状部材の第１の係止部を係止させて袋に装着し、第１’の長手形状部材の第１’の被係止部に第２’の長手形状部材の第１’の係止部を係止又は非係止させれば、袋に装着したまま袋の開口部を開閉することができる。
【００１５】
また、請求項２記載のクリップによれば、上述した請求項１記載の発明の効果に加え、第１’の長手形状部材の 第１の長手形状部材から遠い側の端部に第１の摘み部が、    第２’の長手形状部材の 第２の長手形状部材から遠い側の端部に第２の摘み部が、
それぞれ設けられているため、第１’の被係止部に第１’の係止部を係止又は非係止させる際の摘みとして機能し、利便性の向上を図ることができる。
【００１６】
また、請求項３記載のクリップによれば、回動部に近い側の第１の長手形状部材の第１の被係止部に第２の長手形状部材の第１の係止部を係止させて袋に装着し、回動部から遠い側の第１の長手形状部材の第１の被係止部に第２の長手形状部材の第１の係止部を係止又は非係止させれば、袋に装着したまま袋の開口部を開閉することができる。
【００１７】
また、請求項４記載のクリップによれば、第１の長手形状部材と第２の長手形状部材の折曲部が少なくとも１か所以上であるため、例えば、袋の開口部の大きさをある程度可変にすることができる。
【００１８】
また、請求項５記載の袋の開口部の開閉方法によれば、第１の長手形状部材の第１の被係止部に第２の長手形状部材の第１の係止部を係止させて袋に装着し、第１’の長手形状部材の第１’の被係止部に第２’の長手形状部材の第１’の係止部を係止又は非係止させれば、袋に装着したまま袋の開口部を開閉することができる。
【００１９】
また、請求項６記載の袋の開口部の開閉方法によれば、回動部に近い側の第１の長手形状部材の第１の被係止部に第２の長手形状部材の第１の係止部を係止させて袋に装着し、第１の長手形状部材を中途より折曲又は非折曲して、回動部に遠い側の第１の長手形状部材の第１の被係止部に第２の長手形状部材の第１の係止部を係止又は非係止させれば、袋に装着したまま袋の開口部を開閉することができる。
【００２０】
また、請求項７記載の袋の開口部の開閉方法によれば、回動部に近い側の第１の長手形状部材の第１の被係止部に第２の長手形状部材の第１の係止部を係止させて袋に装着し、第２の長手形状部材を中途より折曲又は非折曲して、回動部に遠い側の第１の長手形状部材の第１の被係止部に第２の長手形状部材の第１の係止部を係止又は非係止させれば、袋に装着したまま袋の開口部を開閉することができる。
【００２１】
また、請求項８記載の袋の開口部の開閉方法によれば、第１の長手形状部材と第２の長手形状部材の折曲部が少なくとも１か所以上であるため、例えば、袋の開口部の大きさをある程度可変にすることができる。
【図面の簡単な説明】
【００２２】
【図１】図１は、本発明の一実施例のクリップの使用例を示すもので、前記クリップで袋の開口部をシールした状態の概略的斜視図である。
【図２】図２は、図１のクリップを用いて、前記クリップを袋に装着したまま袋の開口部を開いた状態の概略的斜視図である。
【図３】図３は、図１の袋に装着する前のクリップの概略的正面図である。
【図４】図４は、図３の４−４線による概略的断面図である。
【図５】図５は、図３の５−５線による概略的断面図である。
【図６】図６は、図３のクリップの第１’の被係止部と第１’の係止部との係止状態を解除した状態の概略的正面図である。
【図７】図７は、図６の７−７線による概略的断面図である。
【図８】図８は、図３のクリップの係止状態を解除し、対向する長手形状部材を離間させた状態を示す概略的正面図である。
【図９】図９は、図１のクリップと異なる他の実施例のクリップを開いた状態の概略的正面図である。
【図１０】図１０は、図９のクリップの係止状態を解除し、第１の長手形状部材、第２の長手形状部材を第１’の長手形状部材、第２’の長手形状部材から離間した状態を示す概略的正面図である。
【発明を実施するための形態】
【００２３】
本発明の一実施例のクリップ及び袋の開口部の開閉方法を図面（図１乃至図８）を参照して説明する。
図１に示すＣは、袋Ｂの開口部をシールするクリップである。
１は、第１の被係止部１１を有する第１の長手形状部材で、第１の被係止部１１は、例えば、凹状の溝部である。
２は、第１の長手形状部材１に対して回動自在に取り付けられた第２の長手形状部材で、第２の長手形状部材２は、第１の被係止部１１に係止（嵌合）する第１の係止部２１を有する。第１の係止部２１は、例えば、凹状の溝部１１に嵌合する凸状の嵌合部である。
また、１’は、第１の長手形状部材１に折曲自在［折曲部位ａ（図８参照）］に取り付けられ、第１’の被係止部１１’を有する第１’の長手形状部材で、第１’の被係止部１１’は、例えば、凹状の溝部である。
２’は、第２の長手形状部材２に折曲自在［折曲部位ｂ（図８参照）］に取り付けられた第２’の長手形状部材で、第２’の長手形状部材２’は、第１’の被係止部１１’に係止する第１’の係止部２１’を有する。第１’の係止部２１’は、例えば、凹状の溝部１１’に嵌合する凸状の嵌合部である。
【００２４】
従って、上述したクリップＣ（袋の開口部の開閉方法）によれば、第１の長手形状部材１の第１の被係止部１１に第２の長手形状部材２の第１の係止部２１を係止させて袋Ｂに装着し、第１の長手形状部材１を中途ａより，第１の長手形状部材２を中途ｂより、それぞれ折曲又は非折曲して、第１’の長手形状部材１’の第１’の被係止部１１’に第２’の長手形状部材２’の第１’の係止部２１’を係止（図１参照）又は非係止（図２参照）させれば、袋Ｂに装着したまま袋Ｂの開口部Ｂ１を開閉させることができる。
【００２５】
なお、図１に示す１２は第１の摘み部で、第１の摘み部１２は、第１’の長手形状部材１’の 第１の長手形状部材１から遠い側の端部に取り付けられている。
また、２２は第２の摘み部で、第２の摘み部２２は、第２’の長手形状部材２’の 第２の長手形状部材２から遠い側の端部に取り付けられている。
これら第１の摘み部１２、第２の摘み部２２が設けられているため、第１’の被係止部１１’に第１’の係止部２１’を係止又は非係止させる際の摘みとして機能し、利便性の向上を図ることができる。
【００２６】
また、上述した実施例においては、第１’の長手形状部材１を第１の長手形状部材１に対して、第２’の長手形状部材２’を第２の長手形状部材２に対して、それぞれ折曲自在に取り付けるようにしたが、場合により、対向する長手形状部材の内、一方の長手形状部材のみを折曲自在としても良い。
即ち、図９に示すように、対向する第１の長手形状部材１、第２の長手形状部材２の内、第１の長手形状部材１のみを折曲自在とし、
第１の被係止部１１（例えば、凹状の溝部）を有する第１の長手形状部材１は、中途ｄのみを第１の長手形状部材１の長手方向を横断する方向に、折曲自在に取り付けられ、第１の長手形状部材１は、中途ｄの前方及び後方に第１の被係止部１１（例えば、凹状の溝部１１）を有する。
第２の長手形状部材２は、中途で折曲自在とせず、第２の長手形状部材２は、第１の長手形状部材１に対して回動自在に取り付けられ、第２の長手形状部材２の長手方向の全体に亘って、第１の被係止部１１（例えば、凹状の溝部）に係止する第１の係止部２１（例えば、凹状の溝部１１に嵌合する凸状の嵌合部）を有する。
この図９記載のクリップＣ（袋の開口部の開閉方法）によれば、回動部Ｋに近い側の第１の長手形状部材１の第１の被係止部１１に第２の長手形状部材２の第１の係止部２１を係止させて袋（図示しないが、例えば、図１、図２記載の袋Ｂ）に装着し、第１の長手形状部材１を中途ｄより折曲又は非折曲して、回動部Ｋから遠い側の第１の長手形状部材１の第１の被係止部１１に第２の長手形状部材２の第１の係止部２１を係止又は非係止させれば、袋に装着したまま袋の開口部を開閉することができる。
【００２７】
上述した図９においては、対向する第１の長手形状部材１、第２の長手形状部材２の内、第１の長手形状部材１を折曲自在としたが、本願発明は、これに限らず、対向する第１の長手形状部材１、第２の長手形状部材２の内、第２の長手形状部材２のみを折曲自在としても良い。
即ち、図１０に示すように、第２の長手形状部材２は、第１の長手形状部材１に対して回動自在に取り付けられ、中途ｅのみを第２の長手形状部材２の長手方向を横断する方向に、折曲自在に取り付けられ、第２の長手形状部材２は、中途ｅの前方及び後方に第１の係止部２１（例えば、凸状の嵌合部）を有する。
第１の長手形状部材１は、中途で折曲自在とせず、第１の長手形状部材１の長手方向の全体に亘って、第１の係止部２１（例えば、凸状の嵌合部）に係止される第１の被係止部１１（例えば、凹状の溝部）を有している。
この図１０記載のクリップＣ（袋の開口部の開閉方法）によれば、回動部Ｋに近い側の第１の長手形状部材１の第１の被係止部１１に第２の長手形状部材２の第１の係止部２１を係止させて袋（図示しないが、例えば、図１、図２記載の袋Ｂ）に装着し、第２の長手形状部材２を中途ｅより折曲又は非折曲して、回動部Ｋに遠い側の第１の長手形状部材１の第１の被係止部１１に第２の長手形状部材２の第１の係止部２１を係止又は非係止させれば、袋に装着したまま袋の開口部を開閉することができる。
【００２８】
上述した実施例においては、第１の長手形状部材１及び第２の長手形状部材２の折曲部をそれぞれ、１か所としたが、本願発明にあっては、これに限らず、第１の長手形状部材１と第２の長手形状部材２の折曲部がそれぞれ、図示しないが、複数あっても良く、複数設けた場合、例えば、袋の開口部の大きさをある程度可変にすることができる。
要は、第１の長手形状部材と第２の長手形状部材の折曲部が少なくとも１か所以上であれば良い。
なお、上述した実施例においては、図４及び図５に示すように、第１の被係止部１１、第１’の被係止部１１’（例えば、凹状の溝部）に 第１の係止部２１、第１’の係止部２１’（例えば、凸状の嵌合部） を係止させたが、本願発明にあっては、これに限らず、例えば、図示しないが、第１’の係止部２１’、第１’の被係止部１１、例えば、大きな凹に、第１の係止部２１、第１’の係止部２１’、例えば、小さな凹が嵌合する形状であっても良い。
【符号の説明】
【００２９】
Ｃ      クリップ
Ｂ      袋
１      第１の長手形状部材
１’    第１’の長手形状部材
２      第２の長手形状部材
２’    第２’の長手形状部材
１１    第１の被係止部
１１’  第１’の被係止部
２１    第１の係止部
２１’  第１’の係止部
【図１】
2018020799.tif 000003
【図２】
2018020799.tif 000004
【図３】
2018020799.tif 000005
【図４】
2018020799.tif 000006
【図５】
2018020799.tif 000007
【図６】
2018020799.tif 000008
【図７】
2018020799.tif 000009
【図８】
2018020799.tif 000010
【図９】
2018020799.tif 000011
【図１０】
2018020799.tif 000012